(57)【要約】      （修正有）【課題】カム溝の傾斜を緩くすることができる鏡筒を有するレンズ鏡胴を提供する。【解決手段】回転移動する第１鏡筒１３と、一体的に直進移動する直進筒と、直進筒に設けた第１カム溝を貫通して第１鏡筒１３の駆動溝１３ｃと係合する第１カムピンを有し、第１鏡筒１３の回転により回転移動する第２鏡筒と、第１鏡筒１３に設けた第２カム溝１３ｄと係合する第２カムピンを有し、第１鏡筒１３の回転により移動する第３鏡筒と、を備え、駆動溝１３ｃは、第１駆動溝１３ｃ１と、第２駆動溝１３ｃ２と、第１駆動溝１３ｃ１の端部と該第２駆動溝１３ｃ２の端部を結ぶ第３駆動溝１３ｃ３とから形成され、一方の第２カム溝１３ｄの一端１３ｄ１は第３駆動溝１３ｃ３の撮像面側を通って第１駆動溝１３ｃ１の近傍に配置され、他方の第２カム溝１３ｄの他端１３ｄ２は第３駆動溝１３ｃ３の被写体側を通って第２駆動溝１３ｃ２の近傍に配置されている。【選択図】図６
2012068290.tif 000002
【特許請求の範囲】
【請求項１】
固定された固定筒と、
前記固定筒の内側に位置し、前記固定筒に対して回転しながら光軸方向に移動する第１鏡筒と、
前記第１鏡筒の内側に位置し、前記固定筒により回転が阻止されながら前記第１鏡筒と一体的に直進移動する直進筒と、
前記直進筒の内側に位置し、前記直進筒に設けた第１カム溝を貫通して前記第１鏡筒に設けた駆動溝と係合する第１カムピンを有し、前記第１鏡筒の回転により回転しながら前記カム溝に基づいて光軸方向に移動する第２鏡筒と、
前記直進筒の内側に位置し、前記第１鏡筒に設けた第２カム溝と係合する第２カムピンを有し、前記直進筒により回転が阻止されながら前記第１鏡筒の回転により前記第２カム溝に基づいて光軸方向に移動する第３鏡筒と、
を備え、
前記第２鏡筒及び前記第３鏡筒によって第１可動レンズ及び第２可動レンズをそれぞれ光軸方向に移動させるレンズ鏡胴であって、
前記駆動溝と前記第２カム溝は前記第１鏡筒に複数本形成されて円周方向に交互に配置され、
前記駆動溝は、光軸と平行で撮像面側に位置する第１駆動溝と、光軸と平行で被写体側に位置する第２駆動溝と、該第１駆動溝の端部と該第２駆動溝の端部を結ぶ第３駆動溝とからクランク状に形成され、
隣り合う一方の前記第２カム溝の一端は前記第３駆動溝の撮像面側を通って前記第１駆動溝の近傍に配置され、隣り合う他方の前記第２カム溝の他端は前記第３駆動溝の被写体側を通って前記第２駆動溝の近傍に配置されていることを特徴とするレンズ鏡胴。
【請求項２】
前記第３駆動溝は光軸と直交していることを特徴とする請求項１に記載のレンズ鏡胴。
【請求項３】
前記第３駆動溝は光軸に対して傾斜していることを特徴とする請求項１に記載のレンズ鏡胴。
【請求項４】
ズームレンズを有して沈胴状態から広角端へ繰り出されるレンズ鏡胴であって、
沈胴状態から広角端へ繰り出されるまでの間に、前記第１カムピンは前記第３駆動溝の中を移動することを特徴とする請求項１〜３の何れか１項に記載のレンズ鏡胴。
【請求項５】
前記第２鏡筒は前記第３鏡筒より被写体側に位置していることを特徴とする請求項１〜４の何れか１項に記載のレンズ鏡胴。
【請求項６】
前記第２鏡筒は最も被写体側に位置する第１可動レンズを光軸方向に移動させることを特徴とする請求項１〜５の何れか１項に記載のレンズ鏡胴。
【請求項７】
前記第３鏡筒は前記第１可動レンズより撮像面側に位置する第２可動レンズを光軸方向に移動させることを特徴とする請求項６に記載のレンズ鏡胴。
【発明の詳細な説明】
【技術分野】
【０００１】
本発明はカムによって駆動されるレンズ鏡胴に関する。
【背景技術】
【０００２】
デジタルカメラ等にズームレンズが搭載される場合、ズームレンズを内蔵したレンズ鏡胴は全長が長くなるので、携帯性を考慮して非使用時にはカメラボディ内に収納できる沈胴式のレンズ鏡胴が従来より用いられている。このようなレンズ鏡胴は複数の鏡筒が重なり合って伸縮する。
【０００３】
ズームレンズは、広角端から望遠端への変倍に際して複数の可動レンズがレンズ間隔を変化させながら光軸方向に移動する。ズーム比が高倍率であると３数以上の可動レンズが用いられ、各々の可動レンズは複雑な移動をする。このため、可動レンズを保持する鏡枠をカム駆動することが多く、このようなレンズ鏡胴は多くの特許公報に開示されている（例えば、特許文献１参照）。
【０００４】
特許文献１のレンズ鏡胴においては、固定された固定枠２と、固定枠２の内側に位置し不図示のロングギヤによって駆動され固定枠２に対して回転しながら光軸方向に移動する回転枠３と、回転枠３の内側に位置して回転枠３と一体的に組み立てられ、固定枠２により回転が阻止されながら光軸方向に直進移動する移動枠４とが設けられている。また、移動枠４の内側に位置し移動枠４に設けたカム溝４ｃを貫通して回転枠３に設けた直進溝３ｃと係合するカムフォロワ４１を有し回転枠３の回転により回転すると共にカム溝４ｃに基づいて光軸方向に移動するカム枠４と、移動枠４の内側に位置し回転枠３に設けたカム溝３ｄと係合するカムフォロワ４２を有し移動枠４により回転が阻止されながら回転枠３の回転によりカム溝３ｄに基づいて光軸方向に移動する三群用直進枠７とが設けられている。そして、カム枠４により一群レンズ及び二群レンズを光軸方向に移動させ、三群用直進枠７によって三群レンズを光軸方向に移動させている。
【０００５】
このように複数の可動レンズを移動させる構成は、多数の特許公報に開示されている。
【先行技術文献】
【特許文献】
【０００６】
【特許文献１】特開２０１０−１３４３２４号公報
【発明の概要】
【発明が解決しようとする課題】
【０００７】
特許文献１のレンズ鏡胴の回転枠３においては上記の如く直進溝３ｃとカム溝３ｄを有する。この直進溝３ｃとカム溝３ｄに関する図は記載されていないが、回転枠３の内周壁を平面に展開すると、例えば図７の如くなる。直進溝３ｃとカム溝３ｄは円周方向に等分して３本設けられているのが一般的であり、これらは交互に配置されている。
【０００８】
カム溝３ｄの形状は使用するズームレンズにより様々な形状になるが、ズームレンズによっては可動レンズの光軸方向の移動量が大きい場合がある。このような場合には、カム溝３ｄの傾斜がきつくなって円滑な作動が困難になるので、カム溝３ｄを円周方向にも伸ばして傾斜を緩めた形状にすることが望ましい。しかし、図７の如く、隣り合うカム溝３ｄの間に直進溝３ｃが設けられていると、カム溝３ｄを円周方向に１２０度以上に伸ばすことはできない。そこで、回転枠３の外径を拡大すれば、カム溝３ｄを円周方向により伸ばすことができ、カム溝３ｄの傾斜を緩くすることができる。しかし、このようにした場合は、レンズ鏡胴が太くなり、好ましくない。また、可動レンズの光軸方向の移動量が格別に大きくなくても、カム溝３ｄの傾斜をできるだけ緩めた形状にすることが、抵抗が少なく円滑に作動するので好ましい。
【０００９】
本発明はかかる問題に鑑みてなされたものであり、複数のカム溝と複数の駆動溝（直進溝）を円周方向に交互に配置した場合に、カム溝の円周方向の長さを従来より長く形成することができる鏡筒を有し、可動レンズを円滑に作動させることができるレンズ鏡胴を提案することを発明の目的とする。
【課題を解決するための手段】
【００１０】
上記目的は下記に記載した発明により達成される。
【００１１】
１．固定された固定筒と、
前記固定筒の内側に位置し、前記固定筒に対して回転しながら光軸方向に移動する第１鏡筒と、
前記第１鏡筒の内側に位置し、前記固定筒により回転が阻止されながら前記第１鏡筒と一体的に直進移動する直進筒と、
前記直進筒の内側に位置し、前記直進筒に設けた第１カム溝を貫通して前記第１鏡筒に設けた駆動溝と係合する第１カムピンを有し、前記第１鏡筒の回転により回転しながら前記カム溝に基づいて光軸方向に移動する第２鏡筒と、
前記直進筒の内側に位置し、前記第１鏡筒に設けた第２カム溝と係合する第２カムピンを有し、前記直進筒により回転が阻止されながら前記第１鏡筒の回転により前記第２カム溝に基づいて光軸方向に移動する第３鏡筒と、
を備え、
前記第２鏡筒及び前記第３鏡筒によって第１可動レンズ及び第２可動レンズをそれぞれ光軸方向に移動させるレンズ鏡胴であって、
前記駆動溝と前記第２カム溝は前記第１鏡筒に複数本形成されて円周方向に交互に配置され、
前記駆動溝は、光軸と平行で撮像面側に位置する第１駆動溝と、光軸と平行で被写体側に位置する第２駆動溝と、該第１駆動溝の端部と該第２駆動溝の端部を結ぶ第３駆動溝とからクランク状に形成され、
隣り合う一方の前記第２カム溝の一端は前記第３駆動溝の撮像面側を通って前記第１駆動溝の近傍に配置され、隣り合う他方の前記第２カム溝の他端は前記第３駆動溝の被写体側を通って前記第２駆動溝の近傍に配置されていることを特徴とするレンズ鏡胴。
【００１２】
２．前記第３駆動溝は光軸と直交していることを特徴とする前記１に記載のレンズ鏡胴。
【００１３】
３．前記第３駆動溝は光軸に対して傾斜していることを特徴とする前記１に記載のレンズ鏡胴。
【００１４】
４．ズームレンズを有して沈胴状態から広角端へ繰り出されるレンズ鏡胴であって、
沈胴状態から広角端へ繰り出されるまでの間に、前記第１カムピンは前記第３駆動溝の中を移動することを特徴とする前記１〜３の何れか１項に記載のレンズ鏡胴。
【００１５】
５．前記第２鏡筒は前記第３鏡筒より被写体側に位置していることを特徴とする前記１〜４の何れか１項に記載のレンズ鏡胴。
【００１６】
６．前記第２鏡筒は最も被写体側に位置する第１可動レンズを光軸方向に移動させることを特徴とする前記１〜５の何れか１項に記載のレンズ鏡胴。
【００１７】
７．前記第３鏡筒は前記第１可動レンズより撮像面側に位置する第２可動レンズを光軸方向に移動させることを特徴とする前記６に記載のレンズ鏡胴。
【発明の効果】
【００１８】
本発明のレンズ鏡胴によれば、複数のカム溝と複数の駆動溝を円周方向に等分に且つ交互に配置した場合に、カム溝の円周方向の長さを例えば三等分なら１２０度以上に形成してカム溝の傾斜を緩くすることができる鏡筒を有し、可動レンズを円滑に作動させることができる。
【図面の簡単な説明】
【００１９】
【図１】沈胴状態のレンズ鏡胴の断面図である。
【図２】広角端に繰り出されたレンズ鏡胴の断面図である。
【図３】望遠端に繰り出されたレンズ鏡胴の断面図である。
【図４】レンズ鏡胴後部の分解斜視図である。
【図５】レンズ鏡胴前部の分解斜視図である。
【図６】第１カム筒の内周面の展開図である。
【図７】特許文献１における回転枠３の内周面の展開図である。
【発明を実施するための形態】
【００２０】
本発明のレンズ鏡胴について図１〜６を参照して説明する。
【００２１】
図１は沈胴状態のレンズ鏡胴の断面図、図２は広角端に繰り出されたレンズ鏡胴の断面図、図３は望遠端に繰り出されたレンズ鏡胴の断面図、図４はレンズ鏡胴後部の分解斜視図、図５はレンズ鏡胴前部の分解斜視図、図６は第１カム筒の内周面の展開図である。
【００２２】
本レンズ鏡胴に搭載される撮像レンズはズームレンズであって、第１レンズ群Ｌ１、第２レンズ群Ｌ２、第３レンズ群Ｌ３及び第４レンズ群Ｌ４から構成される。そして、変倍時には各レンズ群が群間距離を変化させながら光軸Ｏの方向に移動し、合焦時には第４レンズ群Ｌ４が光軸Ｏの方向に移動する。
【００２３】
次に、本発明に係わる第１レンズ群Ｌ１、第２レンズ群Ｌ２及び第３レンズ群Ｌ３を移動させる構成を説明する。
【００２４】
なお、以下の説明において前部若しくは前方とは被写体側を意味し、後部若しくは後方は撮像面側を意味する。
【００２５】
レンズ鏡胴の後部には変倍時にも合焦時にも移動しない保持板１１と固定筒１２（特許請求の範囲における固定筒に相当する。以下の他の部材は括弧内に名称のみ記す。）が一体的に結合されている。保持板１１は不図示の撮像素子を保持し、固定筒１２は後述する各種の鏡筒や鏡枠等を保持する。レンズ鏡胴をカメラボディに装着するときには保持板１１をカメラボディに固定する。
【００２６】
固定筒１２の内側には固定筒１２に対して回転しながら光軸Ｏの方向に移動する第１カム筒１３（第１鏡筒）が設けられている。第１カム筒１３の外周面後方には歯車１３ａが形成され、歯車１３ａは固定筒１２に配置された長歯車１４と歯合している。また、第１カム筒１３の外周面には円周方向に１２０度間隔で等分に３個配置された（以下、三等配と称す）カムピン１３ｂが突出し、カムピン１３ｂは固定筒１２の内周面に三等配のカム溝１２ａと係合している。従って、不図示のズームモータによって長歯車１４が回転すると、第１カム筒１３は歯車１３ａを介して回転し、カムピン１３ｂを介してカム溝１２ａに基づいて光軸Ｏの方向に移動する。
【００２７】
第１カム筒１３の内側には固定筒１２により回転が阻止されながら第１カム筒１３と共に移動する第１直進筒１５（直進筒）が設けられている。第１直進筒１５は第１カム筒１３と一体的に組み立てられ、互いに回転自在であるが、光軸Ｏの方向に分離することはない。第１直進筒１５の外周面後方には回転阻止部１５ａが三等配に突出し、回転阻止部１５ａは固定筒１２の内周面に三等配に光軸Ｏと平行に設けた直進溝１２ｂと係合している。従って、第１カム筒１３が回転しながら光軸Ｏの方向に移動するとき、第１直進筒１５は回転阻止部１５ａを介して直進溝１２ｂにより回転が阻止され、第１カム筒１３の移動に伴って直進移動のみを行う。
【００２８】
第１直進筒１５の内側には回転しながら光軸Ｏの方向に移動する第２カム筒１６（第２鏡筒）が設けられている。更に、第２カム筒１６の内側には第２カム筒１６と一体的に組み立てられた第３カム筒１７が設けられている。第２カム筒１６の外周面後部には第３カム筒１７に植設されたカムピン１８（第１カムピン）が三等配に立設し、カムピン１８は第２カム筒１６に設けた貫通孔１６ａを貫通し、更に第１直進筒１５に設けたカム溝１５ｂ（第１カム溝）を貫通して第１カム筒１３に設けた駆動溝１３ｃ（駆動溝）と係合している。従って、第１カム筒１３が回転すると、駆動溝１３ｃはカムピン１８を回転させ、カムピン１８はカム溝１５ｂに基づいて光軸Ｏの方向に移動する。従って、カムピン１８の回転移動により第２カム筒１６及び第３カム筒１７は光軸Ｏの方向に回転移動する。
【００２９】
第３カム筒１７の内側には第１直進筒１５により回転が阻止されながら第２カム筒１６及び第３カム筒１７と共に移動する第２直進筒１９が設けられている。第２直進筒１９は第３カム筒１７と一体的に組み立てられ、互いに回転自在であるが、光軸Ｏの方向に分離することはない。第２直進筒１９の外周面後方には回転阻止部１９ａが三等配に突出し、回転阻止部１９ａは第１直進筒１５の内周面に光軸Ｏと平行に三等配に設けた直進溝１５ｃと係合している。従って、第２直進筒１９は第２カム筒１６及び第３カム筒１７が回転しながら光軸Ｏの方向に移動するとき、第２直進筒１９は回転阻止部１９ａを介して直進溝１５ｃにより回転が阻止され、第２カム筒１６及び第３カム筒１７の移動に伴って直進移動のみを行う。
【００３０】
第２直進筒１９の内側には第１レンズ群Ｌ１（第１可動レンズ）を保持する第１鏡枠２１が設けられている。第１鏡枠２１は後方に腕部２１ａが三等配に延在し、腕部２１ａの後部２１ｂにはカムピン２１ｃが立設している。そして、後部２１ｂが第２直進筒１９に設けた長溝１９ｂに係合し、カムピン２１ｃが第３カム筒１７に設けたカム溝１７ａに係合している。従って、第１鏡枠２１は後部２１ｂを介して長溝１９ｂにより回転が阻止されると共に、第３カム筒１７の回転によりカムピン２１ｃを介してカム溝１７ａに基づいて直進移動する。
【００３１】
第２直進筒１９の内側には第２レンズ群Ｌ２を保持する第２鏡枠２２が設けられている。第２鏡枠２２は外周面に角形の突部２２ａが三等配に立設し、更に突部２２ａにカムピン２２ｂが立設している。そして、突部２２ａが第２直進筒１９に設けた長溝１９ｃに係合し、カムピン２２ｂが第３カム筒１７に設けたカム溝１７ｂに係合している。従って、第２鏡枠２２は突部２２ａを介して長溝１９ｃにより回転が阻止されると共に、第３カム筒１７の回転によりカムピン２２ｂを介してカム溝１７ｂに基づいて直進移動する。
【００３２】
第２カム筒１６及び第３カム筒１７との間には、前方よりレンズ鏡胴の内部を被覆する化粧枠３１が設けられている。化粧枠３１は被写体光を第１レンズ群Ｌ１に通過させる開口部３１ａを有している。また、第３カム筒１７の前方には直進板３２が第２直進筒１９と一体的に組み立てられて配置されている。化粧枠３１の後部にはカムピン３１ａが六等配されて立設していて、カムピン３１ａは第２カム筒１６の内周面に六等配されたカム溝１６ｂと係合している。従って、化粧枠３１は第２カム筒１６の回転に伴ってカムピン３１ａを介してカム溝１６ｂに基づいて移動する。しかし、直進板３２の外周に突設した突部３２ａが化粧枠３１の内周面に光軸Ｏと平行に設けた不図示の長溝と係合している。従って、化粧枠３１は回転することなく直進移動のみ行う。なお、第２カム筒１６のカム溝１６ｂは第３カム筒１７のカム溝１７ａとカム曲線が同一に形成されているので、化粧枠３１は第１鏡枠２１、即ち第１レンズ群Ｌ１との間隔を常に一定に保持したまま移動する。
【００３３】
一方、第３レンズ群Ｌ３（第２可動レンズ）は第３鏡枠２３（第３鏡筒）に保持されている。第３鏡枠２３は三等配された腕部２３ａを有し、腕部２３ａにはカムピン２３ｂ（第２カムピン）が立設されている。そして、腕部２３ａは第１直進筒１５に三等配された光軸Ｏと平行な長溝１５ｄに係合し、カムピン２３ｂは第１カム筒１３の内周面に三等配に形成されたカム溝１３ｄ（第２カム溝）と係合している。従って、第３鏡枠２３は第１カム筒１３の回転によりカムピン２３ｂを介してカム溝１３ｄに基づいて移動すると共に、腕部２３ａを介して長溝１５ｄにより回転が阻止されるので、光軸Ｏの方向に直進移動する。
【００３４】
なお、第３鏡枠２３には絞りとセクタを有するシャッタユニット２５が一体的に固定されている。
【００３５】
第４レンズ群Ｌ４は第４鏡枠２４に保持されているが、第４鏡枠２４を光軸Ｏの方向に移動させる駆動機構に関しては本発明に直接関係するものではないので図示しておらず、周知のどのような機構を用いてもよい。例えば、光軸Ｏと平行にスクリュウを設け、該スクリュウと螺合するナットと第４鏡枠２４と一体的に組み立て、専用のフォーカスモータで該ナットを回転させることにより該ナットが該スクリュウに沿って移動することにより、第４鏡枠２４を光軸Ｏの方向に移動させる構成でもよい。
【００３６】
以上のレンズ鏡胴における変倍のときの作動をまとめて説明する。
【００３７】
不図示のズームモータによって長歯車１４が回転すると、第１カム筒１３は回転しながらカム溝１２ａに基づいて光軸Ｏの方向に移動する。しかし、第１カム筒１３と一体的に組み立てられた第１直進筒１５は回転せず、第１カム筒１３の移動に伴って直進移動のみを行う。第１カム筒１３が回転すると駆動溝１３ｃと係合している第３カム筒１７のカムピン１８が回転するので、一体的に組み立てられた第２カム筒１６と第３カム筒１７は回転しながらカム溝１５ｂに基づいて移動する。第３カム筒１７が回転すると、第１レンズ群Ｌ１を保持する第１鏡枠２１と第２レンズ群Ｌ２を保持する第２鏡枠２２は第２直進筒１９により回転が阻止されながらそれぞれカム溝１７ａ，１７ｂに基づいて直進移動する。このとき、第２カム筒１６の回転により化粧枠３１はカム溝１６ｂに基づいて移動するが、直進板３２により回転が阻止されるので、化粧枠３１も直進移動する。
【００３８】
一方、第１カム筒１３の回転により第３レンズ群Ｌ３を保持する第３鏡枠２３は第１直進筒１５により回転が阻止されながらカム溝１３ｄに基づいて直進移動する。
【００３９】
このようにしてレンズ鏡胴は図１に示す沈胴状態から図２に示す広角端に繰り出され、最終的には図３に示す望遠状態まで繰り出される。また、レンズ鏡胴を広角端や沈胴状態に繰り込むときは前述のズームモータを逆回転させればよい。
【００４０】
ここで、第１カム筒１３の内周面には図６の展開図に示す如く、駆動溝１３ｃとカム溝１３ｄが円周方向に交互に配置されている。駆動溝１３ｃは、光軸Ｏと平行で後方に位置する第１駆動溝１３ｃ１と、光軸Ｏと平行で前方に位置する第２駆動溝１３ｃ２と、第１駆動溝１３ｃ１の前部端部と第２駆動溝１３ｃ２の後部端部とを結ぶ第３駆動溝１３ｃ３とからクランク状に形成されている。そして、隣り合うカム溝１３ｄの一端１３ｄ１が第３駆動溝１３ｃ３の後方を通って第１駆動溝１３ｃ１の近傍に配置され、隣り合う他方のカム溝１３ｄの他端１３ｄ２が第３駆動溝１３ｃ３の前方を通って第２駆動溝１３ｃ２の近傍に配置されている。
【００４１】
以上の如く構成することにより、駆動溝１３ｃとカム溝１３ｄを円周方向に例えば三等配したとき、カム溝１３ｄを駆動溝１３ｃに制約されずに１２０度以上の範囲で配置することが可能になる。従って、第３レンズ群Ｌ３の光軸Ｏの方向の移動量が大きくても、カム溝１３ｄの傾斜を緩くすることができ、第３レンズ群Ｌ３を円滑に作動させることができる。
【００４２】
なお、第３カム筒１７に植設されたカムピン１８が第１駆動溝１３ｃ１の中に位置しているときは、第１カム筒１３の回転によりカムピン１８が回転するので第３カム筒１７が回転移動して、前述の如く第１レンズ群Ｌ１及び第２レンズ群Ｌ２は光軸Ｏの方向に移動する。しかし、カムピン１８が第３駆動溝１３ｃ３の中に位置しているときは、第１カム筒１３が回転（図６における左方向）してもカムピン１８は回転しないので、第１レンズ群Ｌ１及び第２レンズ群Ｌ１は光軸Ｏの方向に移動しない。そして、第１カム筒１３が第３駆動溝１３ｃ３の円周方向の長さに相当する量を回転してカムピン１８が第２駆動溝１３ｃ２の中に位置した後に、再びカムピン１８は回転し、第１レンズ群Ｌ１及び第２レンズ群Ｌ１は光軸Ｏの方向に移動する。
【００４３】
なお、レンズ鏡胴が沈胴状態から広角端に移動する間に、カムピン１８は第１駆動溝１３ｃ１から第３駆動溝１３ｃ３を越えて第２駆動溝１３ｃ２に至る。この間に、第１レンズ群Ｌ１及び第２レンズ群Ｌ１が移動中に一時停止する状態が生ずるが、変倍動作中ではないし、第１カム筒１３は連続して回転を続けているので、撮影者に違和感が生ずることは全くない。
【００４４】
更に、第３駆動溝１３ｃ３は必ずしも直交している必要はなく、駆動溝１３ｃとカム溝１３ｄの配置を考慮した上で光軸Ｏに対して所定の角度で傾斜して形成されていてもよい。この場合は、第１レンズ群Ｌ１及び第２レンズ群Ｌ２は停止せずに光軸Ｏの方向に移動することになる。これにより、カム溝１３ｄと同様に第３カム筒１７のカム溝１７ａ及びカム溝１７の傾斜を緩くすることができ、第１レンズ群Ｌ１及び第２レンズ群Ｌ２を円滑に作動させることができる。
【００４５】
なお、駆動溝１３ｃとカム溝１３ｄを円周方向に四等配以上にしてもよい。
【００４６】
更に、このようなクランク形の駆動溝とカム溝を配置したカム筒としては、以上の構成に用いた第１カム筒１３に限定されるものではなく、レンズ鏡胴におけるどのような部材に用いてもよい。
【符号の説明】
【００４７】
Ｌ１  第１レンズ群
Ｌ２  第２レンズ群
Ｌ３  第３レンズ群
Ｏ  光軸
１２  固定筒
１３  第１カム筒
１３ｃ  駆動溝
１３ｃ１  第１駆動溝
１３ｃ２  第２駆動溝
１３ｃ３  第３駆動溝
１３ｄ  カム溝
１５  第１直進筒
１５ｂ  カム溝
１６  第２カム筒
１７  第３カム筒
１８，２３ｂ  カムピン
１９  第２直進筒
２１  第１鏡枠
２２  第２鏡枠
２３  第３鏡枠
３１  化粧枠
【図１】
2012068290.tif 000003
【図２】
2012068290.tif 000004
【図３】
2012068290.tif 000005
【図４】
2012068290.tif 000006
【図５】
2012068290.tif 000007
【図６】
2012068290.tif 000008
【図７】
2012068290.tif 000009